(57)【要約】【課題】乗客の安全を確保し、かつ、乗客のドア閉鎖の際の待ち時間を短縮することを可能にする。【解決手段】本発明に係るエレベータの待ち時間制御システムによれば、乗りかご内部に設けられた戸閉釦の操作がなされたか否かを判定し、当該判定の結果として戸閉釦の操作がなされたと判定した場合、乗りかごのドアを閉じるための戸閉開始信号を出力するエレベータ制御部５Ａを具備して構成する。【選択図】    図１
2004224455.tif 000002
【特許請求の範囲】
【請求項１】
乗りかごに設けられたドアの閉鎖時の音声アナウンスの時間を制御することにより、前記ドアの閉鎖の際の待ち時間を制御するエレベータの待ち時間制御システムであって、
前記乗りかご内部に設けられた戸閉釦の操作がなされたか否かを判定する戸閉釦操作判定手段と、
前記戸閉釦操作判定手段により戸閉釦の操作がなされたと判定した場合、前記乗りかごのドアを閉じるための戸閉開始信号を出力する戸閉開始信号出力手段とを具備したことを特徴とするエレベータの待ち時間制御システム。
【請求項２】
乗りかごに設けられたドアの閉鎖時の音声アナウンスの時間を制御することにより、前記ドアの閉鎖の際の待ち時間を制御するエレベータの待ち時間制御システムであって、
前記乗りかご内部に設けられた戸閉釦の操作がなされたか否かを判定する戸閉釦操作判定手段と、
前記戸閉釦操作判定手段により戸閉釦の操作がなされたと判定した場合、前記音声アナウンスの再生時間を短縮し、この短縮した音声アナウンスを前記乗りかご内部に出力する第１の音声アナウンス出力手段と、
前記音声アナウンスの終了後、前記乗りかごのドアを閉じるための戸閉開始信号を出力する戸閉開始信号出力手段と
を具備したことを特徴とするエレベータの待ち時間制御システム。
【請求項３】
乗りかごに設けられたドアの閉鎖時の音声アナウンスの時間を制御することにより、前記ドアの閉鎖の際の待ち時間を制御するエレベータの待ち時間制御システムであって、
前記乗りかご内部に設けられた戸閉釦の操作がなされたか否かを判定する戸閉釦操作判定手段と、
前記戸閉釦操作判定手段により戸閉釦の操作がなされたと判定した場合、前記音声アナウンスを前記乗りかご内部に出力する第２の音声アナウンス出力手段と、
前記音声アナウンスの終了前に、前記乗りかごのドアを閉じるための戸閉開始信号を出力する戸閉開始信号出力手段と
を具備したことを特徴とするエレベータの待ち時間制御システム。
【請求項４】
請求項１ないし請求項３の何れか１項に記載のエレベータの待ち時間制御システムにおいて、
エレベータホールに設けられた車椅子用の呼び登録釦の操作がなされたか否かを判定する車椅子釦操作判定手段と、
前記車椅子釦操作判定手段により車椅子用の呼び登録釦の操作がなされたと判定された場合、前記音声アナウンスを前記乗りかご内部に出力する第３の音声アナウンス出力手段と、
前記音声アナウンスの終了後に、前記乗りかごのドアを閉じるための戸閉開始信号を出力する戸閉開始信号出力手段と
をさらに具備したことを特徴とするエレベータの待ち時間制御システム。
【発明の詳細な説明】
【０００１】
【発明の属する技術分野】
本発明は、ドアの閉鎖の際の待ち時間を短縮するエレベータの待ち時間制御システムに関する。
【０００２】
【従来の技術】
従来から用いられているエレベータの制御装置としては、乗りかご内の乗車率を高める観点から、エレベータの乗りかご内部に設けられた戸閉釦の操作時間に所定のしきい値を設定し、この設定した時間以内の戸閉釦の操作を無効とするように制御する制御装置が提案されている（特許文献１参照）。
【０００３】
【特許文献１】
特開平９−８６８１２号公報（第３ページ〜第６ページ、図１〜図５参照）
【０００４】
【発明が解決しようとする課題】
しかしながら、この種のエレベータの制御装置を適用したエレベータでは、乗客の乗降が終了した場合や乗客の乗降がない場合等に、乗りかご内の乗客がこの乗りかご内に設置された戸閉釦を押すことによって、乗りかごの戸を閉めようとしても、しきい値として設定された所定時間だけ音声アナウンスにより戸閉案内がなされた後で、乗りかごの戸閉動作を開始するので、乗りかご内部の乗客は必要の有無に関わらず、その所定時間だけ待たねばならないため、乗客に多大なストレスを与えてしまう可能性がある。
【０００５】
そこで本発明は、上記事情に考慮してなされたもので、乗客の安全を確保し、かつ、乗客のドア閉鎖の際の待ち時間を短縮することを可能にしたエレベータの待ち時間制御システムを提供することを目的とする。
【０００６】
【課題を解決するための手段】
本発明の主旨は、乗りかご内部に設けられた戸閉釦の操作がなされたか否かを判定する構成により、乗客の安全を確保し、かつ、ドアの閉鎖の際の待ち時間を短縮するという効果を達成することにある。
【０００７】
さて、以上のような本発明の主旨は、具体的には以下のような手段を講じることにより実現される。
【０００８】
第１の発明は、乗りかごに設けられたドアの閉鎖時の音声アナウンスの時間を制御することにより、ドアの閉鎖の際の待ち時間を制御するエレベータの待ち時間制御システムであって、乗りかご内部に設けられた戸閉釦の操作がなされたか否かを判定する戸閉釦操作判定手段と、戸閉釦操作判定手段により戸閉釦の操作がなされたと判定した場合、乗りかごのドアを閉じるための戸閉開始信号を出力する戸閉開始信号出力手段とを具備したエレベータの待ち時間制御システムである。
【０００９】
このように、戸閉釦操作判定手段により乗りかご内部に設けられた戸閉釦の操作がなされたか否かが判定され、当該判定の結果として戸閉釦の操作がなされたと判定した場合、戸閉開始信号出力手段により乗りかごのドアを閉じるための戸閉開始信号が出力されるので、音声アナウンスの出力時間を省略することが出来ることとなり、乗客の安全を確保し、かつ、乗客のドア閉鎖の際の待ち時間を短縮することが出来る。
【００１０】
第２の発明は、乗りかごに設けられたドアの閉鎖時の音声アナウンスの時間を制御することにより、ドアの閉鎖の際の待ち時間を制御するエレベータの待ち時間制御システムであって、乗りかご内部に設けられた戸閉釦の操作がなされたか否かを判定する戸閉釦操作判定手段と、戸閉釦操作判定手段により戸閉釦の操作がなされたと判定した場合、音声アナウンスの再生時間を短縮し、この短縮した音声アナウンスを乗りかご内部に出力する第１の音声アナウンス出力手段と、音声アナウンスの終了後、乗りかごのドアを閉じるための戸閉開始信号を出力する戸閉開始信号出力手段とを具備したエレベータの待ち時間制御システムである。
【００１１】
これにより、戸閉釦操作判定手段により乗りかご内部に設けられた戸閉釦の操作がなされたか否かが判定され、当該判定の結果として戸閉釦の操作がなされたと判定した場合、第１の音声アナウンス出力手段により音声アナウンスの再生時間が短縮され、この短縮された音声アナウンスが乗りかご内部に出力され、音声アナウンスの終了後、戸閉開始信号出力手段により乗りかごのドアを閉じるための戸閉開始信号が出力されるので、音声アナウンスの再生時間が短縮されることとなり、乗客の安全を確保し、かつ、乗客のドア閉鎖の際の待ち時間を短縮することが出来る。
【００１２】
第３の発明は、乗りかごに設けられたドアの閉鎖時の音声アナウンスの時間を制御することにより、ドアの閉鎖の際の待ち時間を制御するエレベータの待ち時間制御システムであって、乗りかご内部に設けられた戸閉釦の操作がなされたか否かを判定する戸閉釦操作判定手段と、戸閉釦操作判定手段により戸閉釦の操作がなされたと判定した場合、音声アナウンスを乗りかご内部に出力する第２の音声アナウンス出力手段と、音声アナウンスの終了前に、乗りかごのドアを閉じるための戸閉開始信号を出力する戸閉開始信号出力手段とを具備したエレベータの待ち時間制御システムである。
【００１３】
これにより、戸閉釦操作判定手段により乗りかご内部に設けられた戸閉釦の操作がなされたか否かが判定され、当該判定の結果として戸閉釦の操作がなされたと判定した場合、第２の音声アナウンス出力手段により音声アナウンスが乗りかご内部に出力され、音声アナウンスの終了前に、戸閉開始信号出力手段により乗りかごのドアを閉じるための戸閉開始信号が出力されるので、乗客の安全を確保し、かつ、乗客のドア閉鎖の際の待ち時間を短縮することが出来る。
【００１４】
第４の発明は、第１ないし第３の何れか１つの発明のエレベータの待ち時間制御システムにおいて、エレベータホールに設けられた車椅子用の呼び登録釦の操作がなされたか否かを判定する車椅子釦操作判定手段と、車椅子釦操作判定手段により車椅子用の呼び登録釦の操作がなされたと判定された場合、音声アナウンスを乗りかご内部に出力する第３の音声アナウンス出力手段と、音声アナウンスの終了後に、乗りかごのドアを閉じるための戸閉開始信号を出力する戸閉開始信号出力手段とをさらに具備したエレベータの待ち時間制御システムである。
【００１５】
これにより、第１の発明と同様の作用を奏することが出来るのに加え、車椅子釦操作判定手段によりエレベータホールに設けられた車椅子用の呼び登録釦の操作がなされたか否かが判定されるので、車椅子を使用する乗客に対し、より一層安全性を向上させることが出来る。
【００１６】
【発明の実施の形態】
以下、本発明の各実施の形態について図面を参照して説明する。
【００１７】
＜第１の実施の形態＞
図１は、本発明の第１の実施の形態に係るエレベータの待ち時間制御システムの構成例を示す模式図である。
【００１８】
本実施の形態に係るエレベータの待ち時間制御システム１Ａは、乗りかご内部に設けられた第１の戸閉釦２、第２の戸閉釦３、及び車椅子用呼び登録釦４と、当該第１の戸閉釦２、第２の戸閉釦３、及び車椅子用呼び登録釦４とそれぞれ個別に接続されたエレベータ制御部５Ａと、このエレベータ制御部５Ａに接続された音声アナウンス部６Ａと、この音声アナウンス部６Ａに接続されたスピーカ部７と、前述のエレベータ制御部５Ａに接続されたドア制御部８と、このドア制御部８に接続されたドア駆動部９とから構成される。
【００１９】
なお、本実施の形態では、説明をポイントに絞る観点から、発明に直接関係しない通常の乗客用の乗場呼び釦に関しては、その記載を省略している。
【００２０】
なお、本実施の形態に係るエレベータの待ち時間制御システムでは、製造時に予め書き込まれたプログラムにより動作が制御されるコンピュータによって、各機能が実現される。また、本実施の形態に係るエレベータの待ち時間制御システムを構成する各部は、ハードウェア又はソフトウェア若しくはハードウェアとソフトウェアとの組み合わせの何れから構成されたものであってもよい。
【００２１】
第１の戸閉釦２は、かご内操作盤に設けられ、かつ、乗りかごのドアを閉鎖するためのものであり、操作者の操作によって、戸閉釦信号をエレベータ制御部５Ａに出力する。
【００２２】
第２の戸閉釦３は、乗りかご内の車椅子用操作盤に設けられており、操作者の操作により、戸閉釦信号をエレベータ制御部５Ａに出力する。
【００２３】
車椅子用呼び登録釦４は、図示しないエレベータホール側に設けられており、操作者の操作によって乗場呼び登録信号をエレベータ制御部５Ａに出力する。
【００２４】
エレベータ制御部５Ａは、車椅子用呼び登録釦４から出力された乗場呼び登録信号を受け取ったか否かにより、乗場呼び登録がなされたか否かを判定する機能と、当該判定の結果として乗場呼び登録がなされていると判定した場合、第２の戸閉釦３から出力された戸閉釦信号を受け取ったか否かにより、第２の戸閉釦３の操作がなされたか否かを判定する機能と、当該判定の結果として第２の戸閉釦３の操作がなされていないと判定した場合、ドアを開いた状態を維持する時間として定められた第１の所定時間が経過したか否かを判定する機能と、前述の判定の結果として第２の戸閉釦３の操作がなされていると判定した場合又は第１の所定時間が経過したと判定した場合に第１の戸閉案内信号を音声アナウンス部６Ａに出力する機能と、音声アナウンス部６Ａから出力された第１の戸閉案内終了信号を受け取ったか否かにより、音声アナウンスが終了したか否かを判定する機能と、当該判定の結果として音声アナウンスが終了したと判定した場合に、乗りかごのドアを閉めるための戸閉開始信号をドア制御部８に出力する機能と、前述の判定の結果として乗場呼び登録がなされていないと判定した場合に、第１の戸閉釦２から出力された戸閉釦信号を受け取ったか否かにより、第１の戸閉釦２の操作がなされたか否かを判定する機能と、当該判定の結果として第１の戸閉釦２の操作がなされたと判定した場合、戸閉開始信号をドア制御部８に出力する機能と、前述の判定の結果として第１の戸閉釦２の操作がなされていないと判定した場合、第１の所定時間が経過したか否かを判定する機能当該判定の結果として第１の所定時間が経過したと判定した場合、第１の戸閉案内信号を音声アナウンス部６Ａに出力する機能と、音声アナウンス部６Ａから出力された第１の戸閉案内終了信号を受け取ったか否かにより、音声アナウンスが終了したか否かを判定する機能と、当該判定の結果として音声アナウンスが終了したと判定した場合、戸閉開始信号をドア制御部８に出力する機能とを有する。
【００２５】
音声アナウンス部６Ａは、エレベータ制御部５Ａから出力された第１の戸閉案内信号を受け取り、該当する音声アナウンスのデータをスピーカ部７に出力する機能と、この音声アナウンスの出力が終了した際に、第１の戸閉案内終了信号をエレベータ制御部５Ａに出力する機能とを有する。
【００２６】
スピーカ部７は、音声アナウンス部６Ａから出力されたデータに該当する乗りかごのドアを閉めるための音声アナウンスを音声により乗りかご内に出力する。
【００２７】
ドア制御部８は、エレベータ制御部５Ａから出力された戸閉開始信号を受け付け、ドア駆動信号をドア駆動部９に出力する。
【００２８】
ドア駆動部９は、ドア制御部８から出力されたドア駆動信号により乗りかごのドアを閉じる。
【００２９】
次に、以上のように構成されたエレベータの待ち時間制御システムの動作に関し、図を用いて説明する。
【００３０】
図２及び図３は、エレベータの待ち時間制御システムに係るエレベータ制御部５Ａの動作を説明するためのフローチャートである。
【００３１】
始めに、エレベータ制御部５Ａは、車椅子用呼び登録釦４の操作がなされたか否かを判定する（ＳＴ１：車椅子釦操作判定手段）。
【００３２】
エレベータ制御部５Ａは、この工程ＳＴ１で車椅子用呼び登録釦４の操作がなされていると判定した場合（ＳＴ１：Ｙｅｓ）、さらに第２の戸閉釦３の操作がなされているか否かの判定を行う（ＳＴ２）。
【００３３】
エレベータ制御部５Ａは、この工程ＳＴ２で第２の戸閉釦３の操作がなされていると判定した場合（ＳＴ２：Ｙｅｓ）、第１の戸閉案内信号を音声アナウンス部６Ａに出力する（ＳＴ３）。
【００３４】
これにより、音声アナウンス部６Ａから音声アナウンスに関するデータがスピーカ部７に出力され、乗りかご内部に音声アナウンス、例えば「ドアが閉まります」等といった音声アナウンスが出力される（第３の音声アナウンス出力手段）。音声アナウンスの出力が終了すると、音声アナウンス部６Ａから第１の戸閉案内終了信号がエレベータ制御部５Ａに出力される。
【００３５】
一方、エレベータ制御部５Ａは、前述した工程ＳＴ２で第２の戸閉釦３の操作がなされていないと判定した場合（ＳＴ２：Ｎｏ）、ドアを開いた状態を維持する時間として定められた第１の所定時間が経過したか否かを判定する（ＳＴ４）。
【００３６】
エレベータ制御部５Ａは、この工程ＳＴ４で第１の所定時間が経過したと判定された場合（ＳＴ４：Ｙｅｓ）、前述した工程ＳＴ３に移行する。
【００３７】
一方、エレベータ制御部５Ａは、工程ＳＴ４で第１の所定時間が経過していないと判定した場合（ＳＴ４：Ｎｏ）、前述した工程ＳＴ２に戻る。
【００３８】
工程ＳＴ５では、エレベータ制御部５Ａは、音声アナウンス部６Ａから出力された第１の戸閉案内終了信号を受信したか否かにより、音声アナウンスが終了したか否かを判定する。
【００３９】
次に、エレベータ制御部５Ａは、この工程ＳＴ５で音声アナウンスが終了したと判定した場合（ＳＴ５：Ｙｅｓ）、戸閉開始信号をドア制御部８に出力する（ＳＴ６：戸閉開始信号出力手段）。
【００４０】
これにより、ドア制御部８がドア駆動部９にドア駆動信号を出力するので、乗りかごのドアが閉じられる。
【００４１】
一方、エレベータ制御部５Ａは、前述した工程ＳＴ５で音声アナウンスが終了していないと判定した場合（ＳＴ５：Ｎｏ）、この工程ＳＴ５を繰り返す。
【００４２】
一方、エレベータ制御部５Ａは、前述した工程ＳＴ１で車椅子用呼び登録釦４の操作がなされていないと判定した場合（ＳＴ１：Ｎｏ）、さらに第１の戸閉釦２の操作がなされているか否かを判定する（ＳＴ７戸閉釦操作判定手段）。
【００４３】
エレベータ制御部５Ａは、この工程ＳＴ７で第１の戸閉釦２の操作がなされたと判定した場合（ＳＴ７：Ｙｅｓ）、戸閉開始信号をドア制御部８に出力する（ＳＴ８：戸閉開始信号出力手段）。
【００４４】
これにより、ドア制御部８からドア駆動信号がドア駆動部９に出力されるので、乗りかごのドアが閉じられる。
【００４５】
一方、エレベータ制御部５Ａは、前述した工程ＳＴ７で第１の戸閉釦２の操作がなされていないと判定した場合（ＳＴ７：Ｎｏ）、ドアを開いた状態を維持する時間として定められた第１の所定時間が経過したか否かを判定する（ＳＴ９）。
【００４６】
エレベータ制御部５Ａは、この工程ＳＴ９で第１の所定時間が経過したと判定した場合（ＳＴ９：Ｙｅｓ）、第１の戸閉案内信号を音声アナウンス部６Ａに出力する（ＳＴ１０）。
【００４７】
これにより、音声アナウンス部６Ａは、音声アナウンスに関するデータをスピーカ部７に出力するので、乗りかご内部に音声アナウンスが出力される。この音声アナウンスの出力が終了すると、音声アナウンス部６Ａからエレベータ制御部５Ａに第１の戸閉案内終了信号が出力される。
【００４８】
一方、エレベータ制御部５Ａは、前述した工程ＳＴ９で第１の所定時間が経過していないと判定した場合（ＳＴ９：Ｎｏ）、前述した工程ＳＴ７に戻る。
【００４９】
工程ＳＴ１１では、エレベータ制御部５Ａは、第１の戸閉案内終了信号を受信したか否かにより、音声アナウンスの出力が終了したか否かを判定する。
【００５０】
エレベータ制御部５Ａは、この工程ＳＴ１１で音声アナウンスの出力が終了したと判定した場合（ＳＴ１１：Ｙｅｓ）、前述した工程ＳＴ８に移行する。
【００５１】
一方、エレベータ制御部５Ａは、前述した工程ＳＴ１１で音声アナウンスの出力が終了していないと判定した場合（ＳＴ１１：Ｎｏ）、この工程ＳＴ１１を繰り返す。
【００５２】
以上のような一連の処理により、エレベータの待ち時間制御システムは、その動作を終了する。
【００５３】
上述したように本実施の形態では、第１の戸閉釦２から出力された戸閉釦信号を受信することにより、第１の戸閉釦２の操作がなされたとエレベータ制御部５Ａにより判定された場合に、当該エレベータ制御部５Ａにより、戸閉開始信号がドア制御部８に出力され、さらにドア制御部８からドア駆動信号がドア駆動部９に出力されるので、乗りかごのドア閉鎖時に、音声アナウンスを当該乗りかご内部に出力することなく、当該乗りかごのドアが閉鎖されることになるため、乗客の安全を確保し、かつ、ドアの閉鎖の際の待ち時間を短縮することが出来る。
【００５４】
本実施の形態によれば、乗りかご内部へのアナウンスの出力時間を省略することが出来るので、エレベータの運転効率を向上させることが出来る。
【００５５】
＜第２の実施の形態＞
図４は、本発明の第２の実施の形態に係るエレベータの待ち時間制御システムの構成例を示す模式図である。なお、説明の効率化を図る観点から、前述した図面と同一部分については同一符号を付して、その詳しい説明を省略し、ここでは異なる部分について主に説明する。なお、以下の各実施の形態も同様にして重複した説明を省略する。
【００５６】
図４に示すように、本実施の形態に係るエレベータの待ち時間制御システム１Ｂは、第１の実施の形態に係るエレベータの待ち時間制御システム１Ａのエレベータ制御部５Ａをエレベータ制御部５Ｂに置換し、かつ、第１の実施の形態に係る音声アナウンス部６Ａを音声アナウンス部６Ｂに置換した構成となっている。
【００５７】
本実施の形態に係るエレベータ制御部５Ｂは、車椅子用呼び登録釦４から出力された乗場呼び登録信号を受け取ったか否かにより、乗場呼び登録がなされたか否かを判定する機能と、当該判定の結果として乗場呼び登録がなされていると判定した場合、第２の戸閉釦３から出力された戸閉釦信号を受け取ったか否かにより、第２の戸閉釦３の操作がなされたか否かを判定する機能と、当該判定の結果として第２の戸閉釦３の操作がなされていないと判定した場合、ドアを開いた状態で維持するために定められた第１の所定時間が経過したか否かを判定する機能と、前述の判定の結果として第２の戸閉釦３の操作がなされていると判定した場合又は前述の判定の結果として第１の所定時間が経過したと判定した場合、第１の戸閉案内信号を音声アナウンス部６Ｂに出力する機能と、音声アナウンス部６Ｂから出力された第１の戸閉案内終了信号を受け取ったか否かにより、音声アナウンスが終了したか否かを判定する機能と、当該判定の結果として音声アナウンスが終了したと判定した場合、乗りかごのドアを閉めるための戸閉開始信号をドア制御部８に出力する機能と、前述の判定の結果として乗場呼び登録がなされていないと判定した場合に、第１の戸閉釦２から出力された戸閉釦信号を受け取ったか否かにより、第１の戸閉釦２の操作がなされたか否かを判定する機能と、当該判定の結果として第１の戸閉釦２の操作がなされたと判定した場合、再生時間を短縮した音声アナウンスを出力させるための第２の戸閉案内信号を音声アナウンス部６Ｂに出力する機能と、音声アナウンス部６Ｂから出力された第２の戸閉案内終了信号を受け取ったか否かにより、再生時間を短縮された音声アナウンスの出力が終了したか否かを判定する機能と、当該判定の結果として再生時間を短縮した音声アナウンスの出力が終了したと判定した場合、戸閉開始信号をドア制御部８に出力する機能と、前述した判定の結果として第１の戸閉釦２の操作がなされていないと判定した場合、第１の所定時間が経過したか否かを判定する機能と、当該判定の結果として第１の所定時間が経過したと判定した場合、再生時間を短縮していない音声アナウンスを出力させるための第１の戸閉案内信号を音声アナウンス部６Ａに出力する機能と、音声アナウンス部６Ｂから出力された第１の戸閉案内終了信号を受け取ったか否かにより、再生時間を短縮していない音声アナウンスが終了したか否かを判定する機能と、当該判定の結果として再生時間を短縮していない音声アナウンスが終了したと判定した場合、戸閉開始信号をドア制御部８に出力する機能とを有する。
【００５８】
音声アナウンス部６Ｂは、エレベータ制御部５Ｂから出力された第１の戸閉案内信号を受け取り、予め録音された音声アナウンスの再生速度を変化させずに、スピーカ部７に出力する機能と、当該音声アナウンスの終了後、第１の戸閉案内終了信号をエレベータ制御部５Ｂに出力する機能と、エレベータ制御部５Ｂから出力された第２の戸閉案内信号を受け取り、予め録音された音声アナウンスの再生速度を速くすることにより、再生時間を短縮する機能と、当該短縮した音声アナウンスをスピーカ部７に出力する機能と、当該音声アナウンスの終了後、第２の戸閉案内終了信号をエレベータ制御部５Ｂに出力する機能とを有する。
【００５９】
なお、上述したエレベータ制御部５Ｂと音声アナウンス部６Ｂと以外の構成に関しては、第１の実施の形態に係るエレベータの待ち時間制御システムの構成と同様であるので、ここでは、その詳細な説明は省略する。
【００６０】
次に、以上のように構成されたエレベータの待ち時間制御システムの動作に関し、図を用いて説明する。
【００６１】
図５及び図６は、本実施の形態に係るエレベータの待ち時間制御システムのエレベータ制御部５Ｂの動作を説明するためのフローチャートである。
【００６２】
エレベータ制御部５Ｂは、車椅子用呼び登録釦４の操作がなされたと判定した場合（ＳＴ１：Ｙｅｓ）には、第１の実施の形態の図２に示すフローチャートの工程ＳＴ１〜工程ＳＴ６に従って動作する。これにより、音声アナウンスが乗りかご内部に出力されると共に、この音声アナウンスの終了後に、乗りかごのドアが閉じられる。
【００６３】
一方、エレベータ制御部５Ｂは、車椅子用呼び登録釦４の操作がなされていないと判定した場合（ＳＴ１：Ｎｏ）、さらに第１の戸閉釦２の操作がなされたか否かを判定する（ＳＴ２１：戸閉釦操作判定手段）。
【００６４】
エレベータ制御部５Ｂは、この工程ＳＴ２１で第１の戸閉釦２の操作がなされたと判定した場合（ＳＴ２１：Ｙｅｓ）、第２の戸閉案内信号を音声アナウンス部６Ｂに出力する（ＳＴ２２）。
【００６５】
これにより、音声アナウンス部６Ｂは、再生時間を短縮した、換言すれば再生速度を速くした音声アナウンスに関するデータを出力するので、スピーカ部７から再生速度を速めた音声アナウンスが乗りかご内部に出力される（第１の音声アナウンス出力手段）。
【００６６】
なお、本実施の形態の音声アナウンス部６Ｂは、再生時間を短縮するために、予め録音された音声アナウンスの再生速度を速めたが、これに限らず、予め再生速度を速めて録音された音声アナウンス又は同一内容で字句を短縮した音声アナウンス、例えば、「ドアが閉まります」という音声アナウンスを「閉まります」という音声アナウンスに短縮したものを乗りかご内部に出力してもよいことはいうまでもない（第２の音声アナウンス出力手段）。
【００６７】
また本実施の形態の音声アナウンス部６Ｂは、再生速度を速めた音声アナウンスに関するデータをスピーカ部７に出力していたが、これに限らず、当該音声アナウンスをチャイム、警報音、又はメロディの何れかに代えてもよいことはいうまでもない。
【００６８】
音声アナウンスの終了後、音声アナウンス部６Ｂは、第２の戸閉案内終了信号をエレベータ制御部５Ｂに出力する。
【００６９】
工程ＳＴ２３では、エレベータ制御部５Ｂは、音声アナウンス部６Ｂから出力された第２の戸閉案内終了信号を受信したか否かにより、再生時間を短縮した音声アナウンスの出力が終了したか否かを判定する。
【００７０】
エレベータ制御部５Ｂは、この工程ＳＴ２３で再生時間を短縮した音声アナウンスが終了したと判定した場合（ＳＴ２３：Ｙｅｓ）、戸閉開始信号をドア制御部８に出力する（ＳＴ２４：戸閉開始信号出力手段）。
【００７１】
これにより、ドア制御部８は、ドア駆動信号をドア駆動部９に出力するので、乗りかごのドアは、閉じられる。
【００７２】
一方、エレベータ制御部５Ａは、前述した工程ＳＴ２３で音声アナウンスが終了していないと判定した場合（ＳＴ２３：Ｎｏ）、この工程ＳＴ２３を繰り返す。
【００７３】
また、エレベータ制御部５Ｂは、前述した工程ＳＴ２１で第１の戸閉釦２の操作がなされていないと判定した場合（ＳＴ２１：Ｎｏ）、さらにドアを開いた状態を維持する時間として定められた第１の所定時間が経過したか否かを判定する（ＳＴ２５）。
【００７４】
エレベータ制御部５Ｂは、この工程ＳＴ２５で所定の時間が経過したと判定した場合（ＳＴ２５：Ｙｅｓ）、第１の戸閉案内信号を音声アナウンス部６Ｂに出力する（ＳＴ２６）。
【００７５】
これにより、音声アナウンス部６Ｂは、音声アナウンスに関する情報をスピーカ部７に出力するので、スピーカ部７から再生時間を短縮していない音声アナウンスが乗りかご内部に出力される。
【００７６】
そして、再生時間を短縮していない音声アナウンスの終了後、音声アナウンス部６Ｂは、第１の戸閉案内終了信号をエレベータ制御部５Ｂに出力する。
【００７７】
一方、エレベータ制御部５Ｂは、所定の時間が経過していないと判定した場合（ＳＴ２５：Ｎｏ）、前述した工程ＳＴ２１に戻る。
【００７８】
工程ＳＴ２７では、エレベータ制御部５Ｂは、音声アナウンス部６Ｂから出力された第１の戸閉案内終了信号を受信したか否かにより、再生時間を短縮していない音声アナウンスが終了したか否かを判定する。
【００７９】
エレベータ制御部５Ｂは、この工程ＳＴ２７で再生時間を短縮していない音声アナウンスが終了したと判定した場合（ＳＴ２７：Ｙｅｓ）、前述した工程ＳＴ２４に移行して戸閉開始信号をドア制御部８に出力する。
【００８０】
これにより、ドア制御部８は、ドア駆動信号をドア駆動部９に出力するので、乗りかごのドアが閉じられる。
【００８１】
一方、エレベータ制御部５Ａは、前述した工程ＳＴ２７で再生時間を短縮していない音声アナウンスが終了していないと判定した場合（ＳＴ２７：Ｎｏ）、この工程ＳＴ２７を繰り返す。
【００８２】
以上のような一連の処理により、エレベータの待ち時間制御システムは、動作を終了する。
【００８３】
上述したように、本実施の形態によれば、第１の戸閉釦２の操作がなされたとエレベータ制御部５Ｂにより判定された場合に、第２の戸閉案内信号が当該エレベータ制御部５Ｂにより音声アナウンス部６Ｂに出力され、音声アナウンス部６Ｂにより再生速度を速めることにより再生時間を短縮した音声アナウンスのデータがスピーカ部７に出力されるので、乗りかごのドア閉鎖時、当該乗りかご内部に再生速度を速めることにより再生時間が短縮された音声アナウンスが出力されることになるため、乗客の安全を確保し、かつ、ドア閉鎖の際の待ち時間を短縮することが出来る。
【００８４】
＜第３の実施の形態＞
図７は、本発明の第３の実施の形態に係るエレベータの待ち時間制御システムの構成例を示す模式図である。
【００８５】
本実施の形態に係るエレベータの待ち時間制御システムは、第１の実施の形態に係るエレベータ制御部５Ａをエレベータ制御部５Ｃに置換し、かつ、第１の実施の形態に係る音声アナウンス部６Ａを音声アナウンス部６Ｃに置換した構成となっている。
【００８６】
本実施の形態に係るエレベータ制御部５Ｃは、車椅子用呼び登録釦４から出力された乗場呼び登録信号を受け取ったか否かにより、乗場呼び登録がなされたか否かを判定する機能と、当該判定の結果として乗場呼び登録がなされていると判定した場合、第２の戸閉釦３から出力された戸閉釦信号を受け取ったか否かにより、第２の戸閉釦３の操作がなされたか否かを判定する機能と、当該判定の結果として第２の戸閉釦３の操作がなされていないと判定した場合、第１の所定時間が経過したか否かを判定する機能と、前述の判定の結果として第２の戸閉釦３の操作がなされていると判定した場合又は前述の判定の結果として第１の所定時間が経過したと判定した場合、第１の戸閉案内信号を音声アナウンス部６Ｃに出力する機能と、音声アナウンス部６Ｃから出力された第１の戸閉案内終了信号を受け取ったか否かにより、音声アナウンスが終了したか否かを判定する機能と、当該判定の結果として音声アナウンスが終了したと判定した場合に、乗りかごのドアを閉めるための戸閉開始信号をドア制御部８に出力する機能と、前述の判定の結果として乗場呼び登録がなされていないと判定した場合、第１の戸閉釦２から出力された戸閉釦信号を受け取ったか否かにより、第１の戸閉釦２の操作がなされたか否かを判定する機能と、当該判定の結果として第１の戸閉釦２の操作がなされたと判定した場合、音声アナウンスを出力させるための第３の戸閉案内信号を音声アナウンス部６Ｃに出力する機能と、音声アナウンス部６Ｃから出力された第３の戸閉案内終了信号を受け取ったか否かにより、音声アナウンスの出力時間よりも短い第２の所定時間が経過したか否かを判定する機能と、当該判定の結果として第２の所定時間が経過したと判定した場合、戸閉開始信号をドア制御部８に出力する機能と、前述の判定の結果として第１の戸閉釦２の操作がなされていないと判定した場合、第１の所定時間が経過したか否かを判定する機能と、当該判定の結果として第１の所定時間が経過したと判定した場合、第１の戸閉案内信号を音声アナウンス部６Ｃに出力する機能と、音声アナウンス部６Ｃから出力された第１の戸閉案内終了信号を受信したか否かにより、音声アナウンスの出力が終了したか否かを判定する機能と、当該判定の結果として音声アナウンスが終了したと判定した場合、戸閉開始信号をドア制御部８に出力する機能とを有する。
【００８７】
本実施の形態に係る音声アナウンス部６Ｃは、音声アナウンスの出力時間と同一の第１の所定時間をカウントし、当該カウントの結果、第１の所定時間に達した場合に、第１の戸閉案内終了信号をエレベータ制御部５Ｃに出力する機能と、エレベータ制御部５Ｃから出力された第３の戸閉案内信号を受け取り、該当する音声アナウンスのデータをスピーカ部７に出力する機能と、スピーカ部７に音声アナウンスのデータを出力後、当該音声アナウンスの出力時間よりも短い、第２の所定時間だけ時間をカウントし、当該カウントの結果として第２の所定時間に達した場合に、第３の戸閉案内終了信号をエレベータ制御部５Ｃに出力する機能とを有する。
【００８８】
なお、上述したエレベータ制御部５Ｃと音声アナウンス部６Ｃと以外の構成に関しては、第１の実施の形態に係るエレベータの待ち時間制御システム１Ａの構成と同様であるので、ここでは、その詳細な説明は省略する。
【００８９】
次に、以上のように構成されたエレベータの待ち時間制御システムの動作に関し、図を用いて説明する。
【００９０】
図８及び図９は、本実施の形態に係るエレベータの待ち時間制御システム１Ｃのエレベータ制御部５Ｃの動作を説明するためのフローチャートである。
【００９１】
エレベータ制御部５Ｃは、車椅子用呼び登録釦４の操作がなされたと判定した場合（ＳＴ１：Ｙｅｓ）には、第１の実施の形態の図２に示すフローチャートの工程ＳＴ１〜工程ＳＴ６と同様の工程に従って動作する。これにより、音声アナウンスが乗りかご内部に出力されると共に、この音声アナウンスの終了後に、乗りかごのドアが閉じられる。
【００９２】
一方、エレベータ制御部５Ｃは、車椅子用呼び登録釦４の操作がなされていないと判定した場合（ＳＴ１：Ｎｏ）、さらに第１の戸閉釦２の操作がなされたか否かを判定する（ＳＴ３１：戸閉釦操作判定手段）。
【００９３】
エレベータ制御部５Ｃは、この工程ＳＴ３１で第１の戸閉釦２の操作がなされたと判定した場合（ＳＴ３１：Ｙｅｓ）、第３の戸閉案内信号を音声アナウンス部６Ｃに出力する（ＳＴ３２）。
【００９４】
これにより、音声アナウンス部６Ｃは、再生時間を短縮していない音声アナウンスに関する情報をスピーカ部７に出力するので、乗りかご内部に再生時間を短縮していない音声アナウンスが出力される（第２の音声アナウンス出力手段）。
【００９５】
また、音声アナウンス部６Ｃは、音声アナウンスの出力時間よりも短い第２の所定時間をカウントし、当該第２の所定時間に達すると、第３の戸閉案内終了信号をエレベータ制御部５Ｃに出力する。
【００９６】
工程ＳＴ３３では、エレベータ制御部５Ｃは、第３の戸閉案内終了信号を受信したか否かにより、ドアを閉じるように設定された第２の所定時間が経過したか否かを判定する。
【００９７】
エレベータ制御部５Ｃは、この工程ＳＴ３３で第２の所定時間が経過したと判定した場合（ＳＴ３３：Ｙｅｓ）、戸閉開始信号をドア制御部８に出力する（ＳＴ３４：戸閉開始信号出力手段）。
【００９８】
これにより、ドア制御部８は、ドア駆動信号をドア駆動部９に出力するので、音声アナウンスが終了する前に、乗りかごのドアが閉じられはじめる。
【００９９】
一方、エレベータ制御部５Ｃは、前述の工程ＳＴ３３で第２の所定時間が経過していないと判定した場合（ＳＴ３３：Ｎｏ）、この工程ＳＴ３３を繰り返す。
【０１００】
また一方、エレベータ制御部５Ｃは、前述した工程ＳＴ３１で第１の戸閉釦２の操作がなされていないと判定した場合（ＳＴ３１：Ｎｏ）、第１の所定時間が経過したか否かの判定を行う（ＳＴ３５）。
【０１０１】
エレベータ制御部５Ｃは、この工程ＳＴ３５で第１の所定時間が経過したと判定した場合（ＳＴ３５：Ｙｅｓ）、第１の戸閉案内信号を音声アナウンス部６Ｃに出力する（ＳＴ３６）。
【０１０２】
これにより、音声アナウンス部６Ｃは、音声アナウンスに関する情報をスピーカ部７に出力するので、乗りかご内部に音声アナウンスが出力される。
【０１０３】
音声アナウンス終了後、音声アナウンス部６Ｃは、第１の戸閉案内信号をエレベータ制御部５Ｃに出力する。
【０１０４】
一方、エレベータ制御部５Ｃは、前述した工程ＳＴ３５で第１の所定時間が経過していないと判定した場合（ＳＴ３５：Ｎｏ）、前述した工程ＳＴ３１に戻る。
【０１０５】
工程ＳＴ３７では、エレベータ制御部５Ｃは、音声アナウンス部６Ｃから出力された第１の戸閉案内終了信号を受信したか否かにより、音声アナウンスが終了したか否かを判定する。
【０１０６】
エレベータ制御部５Ｃは、この工程ＳＴ３７で音声アナウンスが終了したと判定した場合（ＳＴ３７：Ｙｅｓ）、戸閉開始信号をドア制御部８に出力する（ＳＴ３８）。
【０１０７】
これにより、ドア制御部８は、ドア駆動信号をドア駆動部９に出力するので、乗りかごのドアが閉じられる。
【０１０８】
一方、エレベータ制御部５Ｃは、前述の工程ＳＴ３７で音声アナウンスが終了していないと判定した場合（ＳＴ３７：Ｎｏ）、この工程ＳＴ３７を繰り返す。
【０１０９】
以上のような一連の処理により、エレベータの待ち時間制御システム１Ｃは、その動作を終了する。
【０１１０】
上述したように本実施の形態によれば、エレベータ制御部５Ｃにより、第１の戸閉釦２の操作がなされたと判定された場合に、第３の戸閉案内信号が音声アナウンス部６Ｃに出力され、音声アナウンス部６Ｃによりカウントされた音声アナウンスの出力時間よりも短い第２の所定時間後、音声アナウンス部６Ｃにより第３の戸閉案内終了信号がエレベータ制御部５Ｃに出力され、エレベータ制御部５Ｃにより戸閉開始信号がドア制御部８に出力されるので、乗りかごのドアが音声アナウンスの終了前に閉じられはじめることになるので、乗客の安全を確保し、かつ、乗りかごのドア閉鎖の際の待ち時間を短縮することが出来る。
【０１１１】
なお、本発明は、上記各実施の形態に限定されるものでなく、実施段階ではその要旨を逸脱しない範囲で、種々に変形することが可能である。
【０１１２】
また、各実施の形態は、可能な限り適宜組み合わせて実施してもよく、その場合、組み合わされた効果が得られる。さらに、上記各実施の形態には、種々の段階の発明が含まれており、開示されている複数の構成要件における適宜な組み合わせにより種々の発明が抽出され得る。例えば、実施の形態に示されている全構成要件から幾つかの構成要件が省略されることで発明が抽出された場合には、その抽出された発明を実施する場合には、省略部分が周知慣用技術で適宜補われるものである。
【０１１３】
その他、本発明は、その要旨を逸脱しない範囲で種々変形して実施できる。
【０１１４】
【発明の効果】
以上詳述したように本発明によれば、乗客の安全を確保し、かつ、乗客のドア閉鎖の際の待ち時間を短縮することを可能にしたエレベータの待ち時間制御システムを提供できる。
【図面の簡単な説明】
【図１】本発明の第１の実施の形態に係るエレベータの待ち時間制御システムの構成例を示す模式図。
【図２】本実施の形態に係るエレベータ待ち時間制御システムのエレベータ制御部の動作を説明するためのフローチャート。
【図３】本実施の形態に係るエレベータ待ち時間制御システムのエレベータ制御部の動作を説明するためのフローチャート。
【図４】本発明の第２の実施の形態に係るエレベータの待ち時間制御システムの構成例を示す模式図。
【図５】本実施の形態に係るエレベータの待ち時間制御システムのエレベータ制御部の動作を説明するためのフローチャート。
【図６】本実施の形態に係るエレベータの待ち時間制御システムのエレベータ制御部の動作を説明するためのフローチャート。
【図７】本発明の第３の実施の形態に係るエレベータの待ち時間制御システムの構成例を示す模式図。
【図８】本実施の形態に係るエレベータの待ち時間制御システムのエレベータ制御部の動作を説明するためのフローチャート。
【図９】本実施の形態に係るエレベータの待ち時間制御システムのエレベータ制御部の動作を説明するためのフローチャート。
【符号の説明】
１Ａ…エレベータの待ち時間制御システム、１Ｂ…エレベータの待ち時間制御システム、１Ｃ…エレベータの待ち時間制御システム、２…第１の戸閉釦、３…第２の戸閉釦、４…車椅子用呼び登録釦、５Ａ…エレベータ制御部、５Ｂ…エレベータ制御部、５Ｃ…エレベータ制御部、６Ａ…音声アナウンス部、６Ｂ…音声アナウンス部、６Ｃ…音声アナウンス部、７…スピーカ部、８…ドア制御部、９…ドア駆動部
【図１】
2004224455.tif 000003
【図２】
2004224455.tif 000004
【図３】
2004224455.tif 000005
【図４】
2004224455.tif 000006
【図５】
2004224455.tif 000007
【図６】
2004224455.tif 000008
【図７】
2004224455.tif 000009
【図８】
2004224455.tif 000010
【図９】
2004224455.tif 000011